(57)【要約】      （修正有）【課題】朝日、西日の逆光による標識の視認性を向上させ、表示面も明るくできるため省エネ性に優れる、内照式道路標識を提供する。【解決手段】筺体１と、内照式の光源２と、筺体裏面板３と、筺体表面板４とを有し、筺体裏面板３は、光透過性を有し筺体内面側の光反射率が７５％以上１００％未満であることを特徴とする内照式道路標識である。また、筺体裏面板３の全光線透過率が、１％以上４０％以下の光反射材で構成された内照式道路標識である。【選択図】図１
2013194469.tif 000002
【特許請求の範囲】
【請求項１】
筺体と、内照式の光源と、筺体裏面板と、筺体表面板とを有し、
前記筺体裏面板は、光透過性を有し筺体内面側の光反射率が７５％以上１００％未満である内照式道路標識。
【請求項２】
前記筺体裏面板の全光線透過率が、１％以上４０％以下の光反射材で構成された請求項１に記載の内照式道路標識。
【請求項３】
前記筺体裏面板が、透明樹脂板に光反射材を貼付したものである請求項１または２に記載の内照式道路標識。
【請求項４】
前記筺体裏面板が、前記筺体裏面板から透過した光を前記筺体表面板から出射するものである請求項１乃至３のいずれか１項に記載の内照式道路標識。
【請求項５】
前記筺体の内面に反射材を設置したものである請求項１乃至４のいずれか１項に記載の内照式道路標識。
【請求項６】
前記内照式の光源が、導光板の端部にＬＥＤ光源を配置した発光パネルである請求項１乃至５のいずれか１項に記載の内照式道路標識。
【請求項７】
前記筺体の内面が、導光板の光出射面の水平位置で筺体表面側と筺体裏面側に分割されており、発光パネルの光出射部以外の分割面が反射板によって仕切られている請求項１乃至６のいずれか１項に記載の内照式道路標識。
【発明の詳細な説明】
【技術分野】
【０００１】
本発明は、内照式道路標識に関する。
【背景技術】
【０００２】
従来の内照式道路標識は、朝日や西日の逆光線が当たると表示面が暗くなり、表示されている文字や記号が見え難いという問題があった。
この問題を解決するために特許第３４６８５０６号では筺体の裏面板に半透明乳白色強化プラスチックを裏面板として用い、裏面から光を透過することによって表示面を明るくし視認できるようにする策が取られている。
【先行技術文献】
【特許文献】
【０００３】
【特許文献１】特許３４６８５０６号公報
【発明の概要】
【発明が解決しようとする課題】
【０００４】
しかし、光の透過性がある裏面板を用いた場合、内部の光源が点灯した場合に裏面板から光が透過し、夜間、表示面が暗くなるという問題があった。夜間の十分な明るさを保つためには内部の光源の照度を高くしなければならず、省エネルギー性に劣るという問題があった。
そこで、本願発明は、朝日、西日の逆光対策をしつつ、省エネルギー性に優れ、表示面も明るくできる内照式道路標識を提供することを目的とする。
【課題を解決するための手段】
【０００５】
このような目的は、下記［１］〜［７］の本発明により達成される。
［１］  筺体と、内照式の光源と、筺体裏面板と、筺体表面板とを有し、前記筺体裏面板は、光透過性を有し筺体内面側の光反射率が７５％以上１００％未満である内照式道路標識。
［２］  前記筺体裏面板の全光線透過率が、１％以上４０％以下の光反射材で構成された請求項１に記載の内照式道路標識。
［３］  前記筺体裏面板が、透明樹脂板に光反射材を貼付したものである［１］または［２］に記載の内照式道路標識。
［４］  前記筺体裏面板が、前記筺体裏面板から透過した光を前記筺体表面板から出射するものである［１］乃至［３］のいずれか１項に記載の内照式道路標識。
［５］  前記筺体の内面に反射材を設置したものである［１］乃至［４］のいずれか１項に記載の内照式道路標識。
［６］  前記内照式の光源が、導光板の端部にＬＥＤ光源を配置した発光パネルである［１］乃至［５］のいずれか１項に記載の内照式道路標識。
［７］  前記筺体の内面が、導光板の光出射面の水平位置で筺体表面側と筺体裏面側に分割されており、発光パネルの光出射部以外の分割面が反射板によって仕切られている［１］乃至［６］のいずれか１項に記載の内照式道路標識。
【発明の効果】
【０００６】
内照式道路標識の筺体裏面板が光透過性のある光反射材で構成され、前記筺体裏面板を透過した光が前記筺体表面板から出射されることによって、朝日、西日の逆光による標識の視認性を向上させる。
また、内照光源を点灯した時には、筺体裏面板の光反射効果で、外部への光の流出を防
ぎ、表示面を明るくすることができる。光損失が少ないため省エネルギー性に優れる内照式道路標識を提供できる。
【図面の簡単な説明】
【０００７】
【図１】本発明の実施形態の一例である。
【図２】図１を組み立てた時の断面図である。
【発明を実施するための形態】
【０００８】
本発明は、筺体と、内照式の光源と、筺体裏面板と、筺体表面板とを有し、前記筺体裏面板は光透過性を有し、筺体内面側の光反射率が、７５％以上１００％未満である内照式道路標識であり、前記筺体裏面板を透過した光が前記筺体表面板から出射されることによって、朝日、西日の逆光による標識の視認性を向上させる。
また、内照光源を点灯した時には、筺体裏面板の光反射効果で、内部の光を効率的に反射させ、表示面を明るくすることができる。光損失が少ないため省エネルギー性に優れる、内照式道路標識を提供できる。
【０００９】
図１を用いて、本発明を詳細に説明する。
本発明の内照式道路標識は、内部に光源を備えた道路標識で、夜間、内部の光源で行き先などの表示情報を照らし、視認性を高めた道路標識である。
筺体１と、内照式の光源２と、筺体裏面板３と、筺体表面板４とを有している。筺体１の一方の面に表示面を備えた筺体表面板４を有し、もう一方の面である筺体裏面板３に光透過性のある反射材３１を設置し、筺体１の内部に表示面を発光するための内照式の光源２を備えたものである。
前記筺体表面板４は、繊維シート、アクリル板などが用いられるが、これらに限定されるものではなく、光透過性があり、強度、耐久性がある素材であればよい。これらに文字や記号などを表示する。
筺体１の材質は、特に限定されないが、ステンレス、アルミニウム、アルミニウム合金などの金属製や、強化プラスチックなどの樹脂製のものがよく、加工性、強度、耐久性などに優れ、軽量化できるものであればよい。
筺体１の形状は、特に限定はなく直方体であっても、コーナー部が曲面形状であってもよい。前記筺体１の厚さは、特に限定はないが、筺体表面板と光源の距離は、光源の影が見えて外観が損なわれることがない範囲で筺体表面板４と光源が極力近くなる厚さに設定することが好ましい。そうすることで、光損失を減らし、省エネルギーで標識の視認性に優れる内照式道路標識となる。
ここで、内照式道路標識の照度を上げるために、筺体１の内側には反射材を設置してもよい。筺体１内での光の吸収による光損失を減らすことができる。反射材は、筺体１の内側に直接粘着やビス止めによって固定してもよく、また、ステンレス板やアルミニウム板、樹脂板に反射材を貼付したものを粘着材やビスなどで固定してもよい。
【００１０】
内照式の光源２は、蛍光灯、蛍光灯型ＬＥＤ、ＬＥＤバックライト、冷陰極管、端面に光源を備えた導光板などが挙げられる。筺体１の内部に設置し、筺体１内部の前記筺体表面板４と筺体裏面板３の間に設置する。ここで、内照式の光源２は、端面に光源を備えた導光板２１を用いることによって、光源の影が見え難くなり、筺体１の厚さを薄くすることができる。導光板の種類に特に限定はなく、アクリル樹脂板の表面に凹凸を設けたものが好ましい。
例えば、アクリル樹脂板の表面にドット転写を行ったものや、アクリル樹脂板の表面にドットを印刷したもの、アクリル樹脂板の表面に線状のＶ溝を設けたもの、アクリル樹脂に拡散ビーズを練りこんだもの、アクリル樹脂に拡散材を練りこんだものなどが使用できる。ＬＥＤも導光板に入光できるものであれば特に限定はないが、砲弾型、フラット型、平面実装型を使用することができ、また、モジュール化したものを使用することもできる
。
ここで、内照式の光源２が、導光板２１の端部にＬＥＤ光源２２を配置した発光パネルの場合、前記筺体１の内面が導光板２１の光出射面の水平位置で筺体表面側と筺体裏面側に分割されており、発光パネルの光出射部以外の分割面が反射材によって仕切られていることが望ましい。内照式の光源２から出射された光が、筺体裏面板から外部に放出されることを抑制し、筺体表面を効率よく明るくすることができる。
【００１１】
前記筺体裏面板３の少なくとも筺体内側の光反射率が、７５％以上１００％未満であるものが好ましく、さらに好ましくは７８％以上である。反射率は、上記範囲未満であると十分な灯りが筺体表面板４に与えられず、点灯時に表面板が暗くなってしまう。前記筺体裏面板３の反射率が１００％の場合、裏面からの透過光がなくなってしまう。
このような範囲とすることで、内照光源を点灯した時に、筺体裏面板の光反射効果で、外部への光の流出を防ぎ、表示面を明るくすることができる。光のロスが少ないため省エネルギー性に優れる、内照式道路標識を提供できる。
また、前記筺体裏面板３の光透過率が、１％以上４０％以下であるものが好ましい。透過率が１％未満であると裏面から十分な光を取り入れられず、逆光になった場合に筺体表面板４が暗くなり認識しにくくなる。透過率が４０％より大きいと透過が大きくなり、内部の光源の光が裏面より漏れてしまう。さらに好ましくは、３％以上３７％以下である。このような範囲とすることで、朝日や西日など標識が逆光となった場合にもの標識の視認性に優れるものとなる。
また、前記筺体裏面板３が、前記筺体裏面板３から透過した光を前記筺体表面板から出射するものであるものが好ましい。このことにより、表示の視認性が向上する効果を有する。
【００１２】
筺体裏面板３は、光透過性があり、かつ、光反射性があるものが好ましく、透明樹脂板に反射材を貼着させたものがより好ましい。
例えば、樹脂性の反射シートや、透明樹脂板に反射フィルムを貼ったものが挙げられるが、材質や構成は特に限定されるものではない。筺体裏面板３は、屋外使用のため耐候性を有し、また風圧に耐える強度があり、飛来物が衝突した場合でも破損の危険が少ない材質であることが好ましい。透過性のある材料でこれらの条件を満たすものとしては、ポリカーボネート樹脂、ポリカアロイ、耐衝撃アクリル樹脂や、これらの樹脂材料に、ポリエチレンテレフタレート樹脂の微発泡体で構成された反射フィルムやアクリル樹脂の光拡散フィルムを貼付したものなどが挙げられる。
【実施例】
【００１３】
本願発明の実施形態について図１を用いて説明する。
図１の順に組み込み、光源２は、筺体１の内部に収納し、筺体表面板４と筺体１の間に反射板を配置した。（図示せず）この反射板は、中央部はくり抜かれた額縁状の形状としており、発光パネルの光出射部以外の分割面が反射板によって仕切られた構造とした。
［実施例１］
筺体裏面板３は、反射材３１として反射フィルムＡ（ホワイトフィル  稲葉電機製、反射率９９％、透過率４％）を、透明アクリル板Ａ（スミペックス０００、住友化学製、反射率４％、透過率９２％）の片面に貼り付けた裏面板Ａを用いた。
内照式の光源２としては、導光板２１（ルミキング  住友ベークライト製）の両端部に平面実装型のＬＥＤをモジュール化したＬＥＤ２２（２０Ｗ）を設置したものを用いた。
筺体表面板４は、繊維シート（パナグラフィックシート  ３Ｍ製）を用いた。
光源２、筺体裏面板３、筺体表面板４を８４０ｍｍ×４５０ｍｍ、厚さ３５０ｍｍのアクリル樹脂製の筺体１に組み付け、内照式道路標識を作製した。光源２の位置は筺体表面板４より２００ｍｍの位置に配置し、固定した。
【００１４】
（光反射率）
筺体裏面板３の筺体内面となる面側の光反射率は、ＪＩＳ  Ｚ  ８７２２（物体色の測定方法）に準じて測定した。完全拡散反射面の値を１．００とし、それに対する試料輝度の比率を示した。
（全光線透過率）
筺体裏面板３の全光線透過率は、ＪＩＳ−Ｋ７３６１−１に準じて測定した。
（照度測定）
上記作製した内照式道路標識の照度を以下の方法で測定した。
表面板側（繊維シート）と裏面板側の中央部１点に照度計（株式会社カスタム製、デジタル照度計  ＬＸ−１０５）を直接接触させて、測定した。
（逆光の視認性評価）
上記作製した内照式道路標識を西日にあて、視認性を確認した。視認性が良好であるものを「○」、視認性が悪いものを「×」とした。
【００１５】
［実施例２］
実施例１で用いた裏面板Ａの反射フィルムＡを、反射フィルムＢとして拡散フィルム（スコッチカルフィルム３６３５−３０  ３Ｍ製、反射率８６％、透過率３５％）に変更した裏面板Ｂを用いた以外は、実施例１と同様に内照式道路標識を作製し、照度測定、逆光の視認性評価を行った。
［実施例３］
実施例１で用いた裏面板Ａの反射フィルムＡを、反射フィルムＣとしてパンチングフィルム（スコッチカルフィルム３６３５−２１０  ３Ｍ製、反射率８０％、透過率１３％）に変更した裏面板Ｃを用いた以外は、実施例１と同様に内照式道路標識を作製し、照度測定、逆光の視認性評価を行った。
【００１６】
［比較例１］
実施例１で用いた裏面板Ａを、透明板アクリル板Ａのみに変更した裏面板Ｄを用いた以外は、実施例１と同様に内照式道路標識を作製し、照度測定、逆光の視認性評価を行った。
［比較例２］
実施例１で用いた裏面板Ａを反射フィルムＡから、反射フィルムＤとしてパンチングフィルム（スコッチカルフィルム３６３５−２２２  ３Ｍ製、反射率１２％、透過率１３％）に変更した裏面板Ｅを用いた以外は、実施例１と同様に内照式道路標識を作製し、照度測定、逆光の視認性評価を行った。
［比較例３］
実施例１で用いた裏面板Ａを、繊維シート（パナグラフィックシート  ３Ｍ製、反射率７８％、透過率２６％）に変更した裏面板Ｆにした以外は、実施例１と同様に内照式道路標識を作製し、照度測定、逆光の視認性評価を行った。
【００１７】
【表１】
2013194469.tif 000003
【符号の説明】
【００１８】
１      筺体
２      光源
２１    導光板
２２    ＬＥＤ（Ｌｉｇｈｔ  Ｅｍｉｔｔｉｎｇ  Ｄｉｏｄｅ）
３      筺体裏面板
３１    反射材
３２    透明アクリル板
４      筺体表面板
【図１】
2013194469.tif 000004
【図２】
2013194469.tif 000005